(57)【要約】      （修正有）【課題】作動するスイッチを明示化して、作動しないスイッチを誤って選択しない空気調和機を提供する。【解決手段】スイッチ回り２は、運転状態を設定する複数の運転ボタンを備え、運転ボタンによる運転状態の設定に応じて作動する運転ボタンを明示するものであり、例えば、スイッチ回り２は、スイッチプレート４と、その下のボタンシートと、その下の遮光枠、導光材、およびＬＥＤランプを１組とする照明ユニットと、その下の静電基板と、その下のボタンカバーとが、密着して接着されて一体化されるもので、作動する運転ボタンが明るくなるなど明示されることで、作動する運転ボタンが明示され明瞭となり、運転操作性が向上し、扱い易く、運転状態の選択がし易くすることができる空気調和機が得られる。【選択図】図１
2014190606.tif 000002
【特許請求の範囲】
【請求項１】
運転状態を設定する複数の運転ボタンを備え、前記運転ボタンによる運転状態の設定に応じて作動する前記運転ボタンを明示する空気調和機。
【請求項２】
作動する運転ボタンを光らすことにより明示する請求項１記載の空気調和機。
【請求項３】
スイッチ回りを備え、前記スイッチ回りは、シートインサート成形で成形されたスイッチプレートを備え、前記スイッチプレートは透明樹脂とその透明樹脂の表面に表面シートを備え、前記スイッチプレートの下にボタンシートを備え、前記ボタンシートは透明シートに光拡散剤を添加した拡散シートの両面に両面テープを備え、前記拡散シートの側面の端面に遮光部を備え、前記ボタンシートの下に光を遮る遮光枠と光を透過する導光材とＬＥＤランプを１組とする照明ユニットを複数組備え、前記遮光枠と前記ＬＥＤランプとの間に前記導光材を備え、前記導光材の下に運転ボタンの運転スイッチである静電基板を備え、
前記導光材の下の前記静電基板に前記運転ボタンを表示し、前記ＬＥＤランプにより側面から前記導光材に照射し表示された前記運転ボタンを明示する請求項１または２記載の空気調和機。
【請求項４】
表面シートは着色されており、前記表面シートは、静電基板に表示された運転ボタンが見えるように色抜きされている請求項３記載の空気調和機。
【請求項５】
シートインサート成形で成形されたスイッチプレートを備え、前記スイッチプレートは透明樹脂とその透明樹脂の表面に表面シートを備え、前記スイッチプレートの下にボタンシートを備え、前記ボタンシートは透明シートに光拡散剤を添加した拡散シートの両面に両面テープを備え、前記拡散シートの側面の端面に遮光部を備え、前記ボタンシートの下に光を遮る遮光枠と光を透過する導光材とＬＥＤランプを１組とする照明ユニットを複数組備え、前記遮光枠と前記ＬＥＤランプとの間に前記導光材を備え、前記導光材の下に運転ボタンの運転スイッチである静電基板を備え、前記導光材の下の前記静電基板に前記運転ボタンを表示し、前記ＬＥＤランプにより側面から前記導光材に照射し表示された前記運転ボタンを明示するスイッチ回り。
【請求項６】
表面シートは着色されており、前記表面シートは、静電基板に表示された運転ボタンが見えるように色抜きされている請求項５記載のスイッチ回り。
【発明の詳細な説明】
【技術分野】
【０００１】
本発明は、加湿、空気清浄、冷房、あるいは暖房などの空気調和の運転状態を設定する空気調和機および空気調和機に用いられるスイッチ回りに関するものである。
【背景技術】
【０００２】
従来、この種の空気調和機は、応急運転機能スイッチとお掃除リセットスイッチを備えて、応急運転機能スイッチを押す毎に、応急冷房、応急暖房、常時換気、停止、応急冷房と、順々に、運転状態を切り替えながら繰り返すものが知られている（例えば、特許文献１参照）。
【先行技術文献】
【特許文献】
【０００３】
【特許文献１】特開２００６−２２６６４３号公報
【発明の概要】
【発明が解決しようとする課題】
【０００４】
このような従来の空気調和機においては、運転状態設定スイッチを押す毎に、運転状態を示す運転モードが変化し選択できることにより、例えば、応急冷房を選択して冷房運転後に停止させる場合、停止を選択するところを、誤って応急暖房を選択する恐れがあるという課題を有していた。
【０００５】
そこで本発明は、上記従来の課題を解決するものであり、作動するスイッチを明示化して、作動しないスイッチを誤って選択しない空気調和機を提供することを目的とする。
【課題を解決するための手段】
【０００６】
そして、この目的を達成するために、本発明は、運転状態を設定する複数の運転ボタンを備え、前記運転ボタンによる運転状態の設定に応じて作動する前記運転ボタンを明示する空気調和機としたものであり、これにより、作動するスイッチを明示化して、作動しないスイッチを誤って選択しない空気調和機を提供できることになる。
【発明の効果】
【０００７】
本発明によれば、運転状態を設定する複数の運転ボタンを備え、前記運転ボタンによる運転状態の設定に応じて作動する前記運転ボタンを明示する空気調和機としたことで、作動するスイッチを明示化して、作動しないスイッチを誤って選択しない空気調和機を提供できるという効果を得ることができる。
【図面の簡単な説明】
【０００８】
【図１】本発明の実施の形態１の空気調和機のスイッチ回りの外形を示す外形図
【図２】同空気調和機のスイッチ回りのスイッチプレートの外形を示す外形図
【図３】同空気調和機のスイッチ回りの展開図
【図４】同空気調和機のスイッチ回りの断面図
【図５】同空気調和機のスイッチ回りの拡大断面図
【図６】同空気調和機のスイッチ回りの加湿空気清浄風量自動運転モードの時の表示状態を示す図
【図７】同空気調和機のスイッチ回りの加湿空気清浄風量手動運転モードの時の表示状態を示す図
【発明を実施するための形態】
【０００９】
本発明の請求項１記載の空気調和機は、運転状態を設定する複数の運転ボタンを備え、前記運転ボタンによる運転状態の設定に応じて作動する前記運転ボタンを明示するという構成を有する。これにより、作動するスイッチを明示化して、作動しないスイッチを誤って選択しない空気調和機を提供できるという効果を奏する。
【００１０】
また、作動する運転ボタンを光らすことにより明示する請求項１記載の空気調和機という構成にしてもよい。これにより、作動するスイッチを光らすことにより明示化して、作動しないスイッチを誤って選択しない空気調和機を提供できるという効果を奏する。
【００１１】
また、スイッチ回りを備え、前記スイッチ回りは、シートインサート成形で成形されたスイッチプレートを備え、前記スイッチプレートは透明樹脂とその透明樹脂の表面に表面シートを備え、前記スイッチプレートの下にボタンシートを備え、前記ボタンシートは透明シートに光拡散剤を添加した拡散シートの両面に両面テープを備え、前記拡散シートの側面の端面に遮光部を備え、前記ボタンシートの下に光を遮る遮光枠と光を透過する導光材とＬＥＤランプを１組とする照明ユニットを複数組備え、前記遮光枠と前記ＬＥＤランプとの間に前記導光材を備え、前記導光材の下に運転ボタンの運転スイッチである静電基板を備え、前記導光材の下の前記静電基板に前記運転ボタンを表示し、前記ＬＥＤランプにより側面から前記導光材に照射し表示された前記運転ボタンを明示する請求項１または２記載の空気調和機という構成にしてもよい。
【００１２】
これにより、作動する運転ボタンが見易く明瞭になり、作動する運転ボタンを見易くしコンパクトで意匠性が良く、作動するスイッチを明示化して、作動しないスイッチを誤って選択しない空気調和機を提供できるという効果を奏する。
【００１３】
また、表面シートは着色されており、前記表面シートは、静電基板に表示された運転ボタンが見えるように色抜きされている請求項３記載の空気調和機、という構成にしてもよい。
【００１４】
これにより、作動する運転ボタンが見易く明瞭になり、作動する運転ボタンを見易くしコンパクトで意匠性が良く、作動するスイッチを明示化して、作動しないスイッチを誤って選択しない空気調和機を提供できるという効果を奏する。
【００１５】
また、シートインサート成形で成形されたスイッチプレートを備え、前記スイッチプレートは透明樹脂とその透明樹脂の表面に表面シートを備え、前記スイッチプレートの下にボタンシートを備え、前記ボタンシートは透明シートに光拡散剤を添加した拡散シートの両面に両面テープを備え、前記拡散シートの側面の端面に遮光部を備え、前記ボタンシートの下に光を遮る遮光枠と光を透過する導光材とＬＥＤランプを１組とする照明ユニットを複数組備え、前記遮光枠と前記ＬＥＤランプとの間に前記導光材を備え、前記導光材の下に運転ボタンの運転スイッチである静電基板を備え、前記導光材の下の前記静電基板に前記運転ボタンを表示し、前記ＬＥＤランプにより側面から前記導光材に照射し表示された前記運転ボタンを明示するスイッチ回り、という構成にしてもよい。
【００１６】
これにより、作動する運転ボタンが見易く明瞭になり、コンパクトで意匠性が良く、作動するスイッチを明示化して、作動しないスイッチを誤って選択しないスイッチ回りを提供できるという効果を奏する。
【００１７】
また、表面シートは着色されており、前記表面シートは、静電基板に表示された運転ボタンが見えるように色抜きされている請求項５記載のスイッチ回り、という構成にしてもよい。
【００１８】
これにより、作動する運転ボタンが見易く明瞭になり、コンパクトで意匠性が良く、作動するスイッチを明示化して、作動しないスイッチを誤って選択しないスイッチ回りを提供できることになる。
【００１９】
以下、本発明の実施の形態について図面を参照しながら説明する。
【００２０】
（実施の形態１）
図１から図４に示すように、加湿器、空気清浄機、加湿空気清浄機、あるいはエアコンなどの空気調和機の運転状態の操作をするスイッチ回りは、運転状態を設定する複数の運転ボタンを備え、その運転ボタンによる運転状態の設定に応じて作動する運転ボタンのみを光らせて、作動するスイッチを明示化して、作動しないスイッチを誤って選択しないようにしている。
【００２１】
空気調和機として、加湿空気清浄機を例とすると、空気調和機としての加湿空気清浄機１の上部に、運転操作をするスイッチ回り２を備えている。スイッチ回り２は、加湿、空気清浄運転状態を設定する複数の運転ボタン３を備えている。
【００２２】
運転操作をするスイッチ回り２は、スイッチプレート４を備えている。スイッチプレート４は、透明樹脂５と表面シート６をインサート成形している。透明樹脂５としては、透明性を保有し、ＡＢＳ樹脂などの樹脂がある。インサート成形により、見易く、美しく、きれいであり、意匠性が良くなっている。
【００２３】
表面シート６としては、ＰＥＴシートなどの樹脂シートがあり、表面シート６は、グレー等に着色されており、表面シート６の下から透過してくる運転ボタン３の運転ボタン名が見易いように、表面シート６は表示された運転ボタン名の上の部分が色抜きされて透明である。
【００２４】
スイッチプレート４の下にボタンシート９を密着させて接着している。ボタンシート９は、ＰＥＴシート等の拡散シート１０の表１１と裏１２の両面に両面テープ１３、１４が設けられ、スイッチプレート４とボタンシート９の拡散シート１０の表１１に貼られた両面テープ１３により、スイッチプレート４とボタンシート９は密着して接着されている。
【００２５】
ボタンシート９の透明シートの拡散シート１０は、光を拡散する光拡散剤として、例えば、アクリル微粒子、炭酸カルシウムを主成分とした顔料が添加され、あるいは表面がコーティングされて、透過光等の光が拡散されるようになっている。拡散シート１０の側面の端面が遮光部１５としてのカーボンブラック等の黒色顔料が印刷されている。
【００２６】
光拡散剤により、ボタンシート９の下から透過してくる運転ボタン名７が、スイッチ回りの操作時に見易く、また遮光部１５により、拡散シート１０、すなわちボタンシート９の端面から光が漏れないようにされており、ボタンシート９は運転ボタン名７が見易く、また、美しく、意匠性が良くなっている。
【００２７】
遮光部１５は、図５に示すように、垂直断面形状がＬ字形状であるボタンシート９における拡散シート１０の側面の端面で、矢印の範囲にカーボンブラック等の黒色顔料が印刷されている。この遮光部１５が、スイッチプレート４である透明樹脂５と、後述する遮光枠２１およびボタンカバー２６との間に位置するものである。これにより、透明樹脂５と、後述する遮光枠２１およびボタンカバー２６との間を反射しながら透明樹脂５内へ入り込む光を抑制できると考えられる。結果として、スイッチプレート４である透明樹脂５に表面シート６をインサート成型した場合にできる透明樹脂５ａから光の漏れを抑制できる。
【００２８】
ボタンシート９の下に光を遮る遮光枠２１と光を透過する導光材２２と照明を照射するＬＥＤランプ２３を１組とする照明ユニット２４を加湿空気清浄運転、空気清浄運転等の運転操作毎に、すなわち加湿空気清浄運転、空気清浄運転等の運転モード毎に備えて、複数組設けられている。
【００２９】
ボタンシート９の裏１２の両面テープ１４により、ボタンシート９の裏１２と照明ユニット２４の複数組が密着して接着されている。遮光枠２１は、光を遮光できれば良く、例えば、ＰＥＴシートにカーボンブラック等の顔料を添加、あるいはＰＥＴシートの表面にカーボンブラック等の顔料を表面コーティングして、黒色化されている。
【００３０】
導光材２２としては、光を透過できれば良く、例えば、透明ＰＥＴシートなどがあり、遮光枠２１とＬＥＤランプ２３との間に導光材２２が備えられている。
【００３１】
ＬＥＤランプ２３により側面から導光材２２に照射し、その照射により、導光材２２の下の静電基板２５に表示された複数の運転ボタン３の運転ボタン名７が照射され、明るくなり、明示される。
【００３２】
複数の運転ボタン３の全てに対応して、各々、遮光枠２１、導光材２２、ＬＥＤランプ２３が１組のセットで備えられ、遮光枠２１は対応するＬＥＤランプ２３が点灯し、対応する導光材２２に照射されるが、そこから他の運転ボタン３に対応する導光材２２に照射光が漏れて、他の運転ボタン３の運転ボタン名７が光らないように遮光する。
【００３３】
複数の照明ユニット２４の下に静電基板２５が設けられている。静電基板２５は、上から押すと静電容量が変化し、その変化により導通する静電スイッチであり、静電基板２５に運転状態を設定する複数の運転ボタン名７が印刷されて、複数の運転ボタン３が表示されている。
【００３４】
運転ボタン名が印刷されている運転ボタン３を押すと、押された静電基板２５の運転ボタン名７が印刷されている運転ボタン３の部分での静電容量が変化して、電気的に導通し、静電スイッチが入る。静電スイッチが入り、押されたその表示された運転ボタン３に相当する運転状態が設定されることになる。
【００３５】
静電基板２５の下に、ボタンカバー２６が設けられる。ボタンカバー２６としては、強度があり、成形性が良ければ良く、ＰＳ、ＡＢＳ等の樹脂がある。
【００３６】
スイッチ回り２は、スイッチプレート４と、その下のボタンシート９と、その下の遮光枠２１、導光材２２、およびＬＥＤランプ２３を１組とする照明ユニット２４と、その下の静電基板２５と、その下のボタンカバー２６とが、密着して接着されて一体化される。
【００３７】
スイッチ回り２の寸法としては、スイッチ回り２が空気調和機としての加湿空気清浄機１の上部に設けられて、運転操作性が良く、運転ボタン３が見易ければ良い。
【００３８】
運転操作方法について、例えば、加湿空気清浄機１を例にすると、制御ソフトが組まれており、その組まれた制御ソフトにより、電源スイッチ３１をＯＮすると、図５に示すように、加湿空気清浄風量自動モードとなる。ここで、加湿空清ボタン３２を押すと、図６に示すように、加湿空気清浄風量手動運転モードとなり、もう一度、加湿空清ボタン３２を押すと、図５に示すように、再び加湿空気清浄風量自動モードとなる。このように、２種類の運転モードを備えている。
【００３９】
加湿空気清浄風量自動運転モードの時は、図６に示すように、湿度設定ボタン３３と、風量設定ボタン３４とが点灯する。これと同時に、湿度設定ボタン３３の上方に、「標準、高め、控えめ」の湿度設定表示３５示が表示され、風量設定ボタン３４の上方に、「風量自動」の風量設定表示３６が表示される。ここで、湿度設定ボタン３３を押すと、湿度設定表示３５は、まず「標準」のみが点灯し、もう一度、湿度設定ボタン３３を押すと、湿度設定表示３５は、まず「高め」のみが点灯し、更にもう一度、湿度設定ボタン３３を押すと、湿度設定表示３５は、「控えめ」のみが点灯する。これによって、湿度を設定することができる。
【００４０】
加湿空気清浄風量手動運転モードの時は、図７に示すように、湿度設定ボタン３３は点灯せず、風量設定ボタン３４のみが点灯する。これと同時に、風量設定ボタン３４の上方に、「中、静音、ターボ」の風量設定表示３６が表示される。ここで、風量設定ボタン３４を押すと、風量設定表示３６は、まず「中」のみが点灯し、もう一度、風量設定ボタン３４を押すと、風量設定表示３６は、まず「静音」のみが点灯し、更にもう一度、風量設定ボタン３４を押すと、風量設定表示３６は、「ターボ」のみが点灯する。これによって、風量を設定することができる。
【００４１】
すなわち、加湿空気清浄風量手動運転モードの時は、設定できない湿度設定ボタン、湿度設定表示は明示されず、選択できなくなっている。これにより、作動する運転ボタンが見易く明瞭になり、コンパクトで意匠性が良く、作動するスイッチを明示化して、作動しないスイッチを誤って選択しないスイッチ回りを提供できることになる。
【００４２】
このような構成によれば、運転状態を設定する複数の運転ボタン３を備え、運転ボタン３による運転状態の設定に応じて作動する運転ボタン３を明示することにより、作動する運転ボタン３が明るくなるなど明示されることで、作動する運転ボタンが明示され明瞭となり、運転操作性が向上し、扱い易く、運転状態の選択がし易くすることができる。
【００４３】
また、シートインサート成形で成形されたスイッチプレート４を備え、スイッチプレート４は透明樹脂５とその透明樹脂の表面に表面シート６を備え、スイッチプレート４の下にボタンシート９を備え、ボタンシート９は透明シートに光拡散剤を添加した拡散シート１０の両面に両面テープ１３、１４を備え、拡散シート１０の側面の端面に遮光部１５を備え、前記ボタンシート９の下に光を遮る遮光枠２１と光を透過する導光材２２とＬＥＤランプ２３を１組とする照明ユニット２４を複数組備え、遮光枠２１とＬＥＤランプ２３との間に導光材２２を備え、導光材２２の下に運転ボタン３の運転スイッチである静電基板２５を備え、導光材２２の下の静電基板２５に運転ボタン３を表示し、ＬＥＤランプ２３により側面から導光材２２に照射し表示された運転ボタン３を明示するものである。
【００４４】
これにより、運転ボタン３が見易く、運転の操作性が良く、きれいで美しく、意匠性の良いスイッチ回り２、およびこのスイッチ回りを備えた空気調和機を提供できることになる。
【００４５】
本実施例によれば、作動する運転ボタン３が明るくなるなど明示されることにより、作動しない運転ボタン３は不明示となり、作動する運転ボタンが明示され明瞭となり、作動しない運転ボタン３を誤って選択しないことにより、運転操作性が格段に向上し、扱い易く、運転状態の選択がし易いスイッチ回り２、空気調和機を提供できることになる。
【産業上の利用可能性】
【００４６】
本発明にかかる空気調和機は、作動する運転ボタンが明るくなるなど明示されることにより、作動する運転ボタンが明示され明瞭となり、作動しない運転ボタンを誤って選択しないことにより、運転操作性が向上し、扱い易く、運転状態の選択がし易いものであるので、運転操作するスイッチ回り等として有用である。
【符号の説明】
【００４７】
１    加湿空気清浄機
２    スイッチ回り
３    運転ボタン
４    スイッチプレート
５    透明樹脂
５ａ  透明樹脂
６    表面シート
９    ボタンシート
１０    拡散シート
１１    表
１２    裏
１３    両面テープ
１４    両面テープ
１５    遮光部
２１    遮光枠
２２    導光材
２３    ＬＥＤランプ
２４    照明ユニット
２５    静電基板
２６    ボタンカバー
３１    電源スイッチ
３２    加湿空清ボタン
３３    湿度設定ボタン
３４    風量設定ボタン
３５    湿度設定表示
３６    風量設定表示
【図１】
2014190606.tif 000003
【図２】
2014190606.tif 000004
【図３】
2014190606.tif 000005
【図４】
2014190606.tif 000006
【図５】
2014190606.tif 000007
【図６】
2014190606.tif 000008
【図７】
2014190606.tif 000009